【手続補正書】
【提出日】平成19年2月5日(2007.2.5)
【手続補正１】
【補正対象書類名】特許請求の範囲
【補正対象項目名】全文
【補正方法】変更
【補正の内容】
【特許請求の範囲】
【請求項１】
少なくとも一部に耐用期間を延長すると共に流通に適応させるための汚損防止保護層（１４）を備えた平面基体（１２）を有して成り、有価証書の製造に用いられるセキュリティー・ペーパーであって、
前記保護層（１４）が、
前記基体（１２）に塗布され、下部の該基体（１２）に接触しその微細孔を埋める自然乾燥ラッカーから成る第１下部ラッカー層（１６）、および
前記基体（１２）を物理的および化学的作用から保護する第２上部ラッカー層（１８）
の少なくとも２つのラッカー層（１６、１８）を有して成ることを特徴とするセキュリティー・ペーパー。
【請求項２】
前記基体が未印刷（１２）または印刷済み（１２、２０）コットン・ペーパーから成っていることを特徴とする請求項１記載のセキュリティー・ペーパー。
【請求項３】
前記第１下部ラッカー層（１６）が前記基体上部において平滑かつ連続した層を成していることを特徴とする請求項１または２記載のセキュリティー・ペーパー。
【請求項４】
前記第１下部ラッカー層が弾性を有していることを特徴とする請求項１〜３いずれか１項記載のセキュリティー・ペーパー。
【請求項５】
前記第１下部ラッカー層（１６）が水性分散ラッカー層から成っていることを特徴とする請求項１〜４いずれか１項記載のセキュリティー・ペーパー。
【請求項６】
前記第１下部ラッカー層がポリウレタンを含んでいることを特徴とする請求項１〜５いずれか１項記載のセキュリティー・ペーパー。
【請求項７】
前記第１下部ラッカー層が脂肪族ポリエステル系ポリウレタン、またはスチレン−アクリル系ポリウレタン水性分散体をベースにしていることを特徴とする請求項１〜６いずれか１項記載のセキュリティー・ペーパー。
【請求項８】
前記第２上部ラッカー層（１８）が放射線硬化および／または自然乾燥ラッカー層から成っていることを特徴とする請求項１〜７いずれか１項記載のセキュリティー・ペーパー。
【請求項９】
前記ラッカー層がＵＶ架橋ラッカー層、水性分散ラッカー層、またはハイブリッド・ラッカー層から成っていることを特徴とする請求項８記載のセキュリティー・ペーパー。
【請求項１０】
前記第２上部ラッカー層がシリコーンおよび／またはワックスを含んでいることを特徴とする請求項１〜９いずれか１項記載のセキュリティー・ペーパー。
【請求項１１】
前記ＵＶ架橋ラッカー層がアクリレート系、前記水性分散ラッカー層がスチレン−アクリレート系、前記ハイブリッド・ラッカー層が脂肪族ウレタン・アクリレートおよび光開始剤を含むアクリレートから成る系をベースにしていることを特徴とする請求項９記載のセキュリティー・ペーパー。
【請求項１２】
所定の触感、特に所定の平滑性、音、および／または曲げ剛性が得られるよう、脆性および表面張力を勘案して前記上部ラッカー層（１８）の成分が選択されることを特徴とする請求項８記載のセキュリティー・ペーパー。
【請求項１３】
前記第２上部ラッカー層（１８）が前記第１下部ラッカー層（１６）の上部に直接配されていることを特徴とする請求項１〜１２いずれか１項記載のセキュリティー・ペーパー。
【請求項１４】
前記上部ラッカー層（１８）と下部（１６）ラッカー層との間に水性分散ラッカーから成る別のラッカー層が配されていることを特徴とする請求項１〜１３いずれか１項記載のセキュリティー・ペーパー。
【請求項１５】
前記保護層のラッカー層（１６、１８）が互いに調和し、高い結合力を有していることを特徴とする請求項１〜１４いずれか１項記載のセキュリティー・ペーパー。
【請求項１６】
前記下部ラッカー層（１６）のガラス転移温度が低く、それによって粘着性および粘着を助長する力が向上していることを特徴とする請求項１〜１５いずれか１項記載のセキュリティー・ペーパー。
【請求項１７】
前記上部ラッカー層（１８）および／または下部（１６）ラッカー層が無色透明であることを特徴とする請求項１〜１６いずれか１項記載のセキュリティー・ペーパー。
【請求項１８】
前記上部ラッカー層（１８）に抗菌加工が施されていることを特徴とする請求項１〜１７いずれか１項記載のセキュリティー・ペーパー。
【請求項１９】
前記下部ラッカー層（１６）が１〜６ｇ／ｍ２の塗布量によって前記基体（１２）上部に形成されていることを特徴とする請求項１〜１８いずれか１項記載のセキュリティー・ペーパー。
【請求項２０】
前記上部ラッカー層（１８）が０．５〜３ｇ／ｍ２の塗布量によって前記基体（１２）上部に形成されていることを特徴とする請求項１〜１９いずれか１項記載のセキュリティー・ペーパー。
【請求項２１】
前記基体（１２、２０）に文字またはパターン（２０）が印刷され、前記保護層（１４）が該印刷を施した基体（１２、２０）に塗布されるおよび／または前記第１下部ラッカー層（１６）に印刷が施され、該印刷を施した第１下部ラッカー層（１６）に前記第２上部ラッカー層（１８）が塗布されるおよび／または該第２ラッカー層に印刷が施されていることを特徴とする請求項１〜２０いずれか１項記載のセキュリティー・ペーパー。
【請求項２２】
前記保護層（１４）が少なくとも１つのギャップを備えていることを特徴とする請求項１〜２１いずれか１項記載のセキュリティー・ペーパー。
【請求項２３】
前記ギャップにセキュリティー素子が埋め込まれていることを特徴とする請求項２２記載のセキュリティー・ペーパー。
【請求項２４】
前記保護層（１４）が前記基体（１２）全体に形成されていることを特徴とする請求項１〜２１いずれか１項記載のセキュリティー・ペーパー。
【請求項２５】
前記平面基体（１２）の主たる２つの面に汚損防止保護層（１４）が形成されていることを特徴とする請求項１〜２４いずれか１項記載のセキュリティー・ペーパー。
【請求項２６】
請求項１〜２５いずれか１項記載のセキュリティー・ペーパーを有して成る有価証書。
【請求項２７】
ａ）平面基体を供給するステップ、および
ｂ) 前記基体に汚損防止保護層を塗布するステップ、
の各ステップを有して成る、有価証書用セキュリティー・ペーパーの製造方法であって、
前記ステップｂ）が、
ｂ１）前記保護層の下部層として、前記基体に接触しその微細孔を埋める自然乾燥ラッカー層を塗布するステップ、および
ｂ２）前記基体を物理的および化学的作用から保護する前記保護層の上部層を塗布するステップ
の各ステップを有して成ることを特徴とする方法。
【請求項２８】
前記上部塗布層が放射線硬化および／または自然乾燥層であり、
電磁放射線を照射し前記上部層を架橋結合、硬化および／または乾燥するステップｃ）を更に有して成ることを特徴とする請求項２７記載の方法。
【請求項２９】
２．５〜１５ｇ／ｍ２（湿潤重量）の塗布量によって前記下部ラッカー層を形成することを特徴とする請求項２７または２８記載の方法。
【請求項３０】
前記下部ラッカー層を乾燥させた後に前記上部層を塗布することを特徴とする請求項２７〜２９いずれか１項記載の方法。
【請求項３１】
凹版印刷によってラッカー未塗装または塗装済みの前記基体に印刷を施すことを特徴とする請求項２７〜３０いずれか１項記載の方法。
【請求項３２】
前記下部ラッカー層および／または上部ラッカー層をフレキソ印刷によって形成することを特徴とする請求項２７〜３１いずれか１項記載の方法。
【請求項３３】
前記フレキソ印刷によって形成する前記ラッカー層全体の量が３〜１２ｇ／ｍ２であることを特徴とする請求項３２記載の方法。
【請求項３４】
前記下部および／または上部ラッカー層をスクリーン印刷によって形成することを特徴とする請求項２７〜３１いずれか１項記載の方法。
【請求項３５】
前記スクリーン印刷によって形成する前記ラッカー層全体の量が５〜１５ｇ／ｍ２であることを特徴とする請求項３４記載の方法。
【請求項３６】
前記下部ラッカー層および／または上部ラッカー層をオフセット印刷または間接活版印刷によって形成することを特徴とする請求項２７〜３１いずれか１項記載の方法。
【請求項３７】
前記ステップａ）において供給する前記平面基体が、１つのものが複数複写されて成る有価ペーパー・シートであり、該シートに対しそれぞれ前記ステップｂ）、ｂ１）およびｂ２）を一連の操作によって実行することを特徴とする請求項２７〜３６いずれか１項記載の方法。
【請求項３８】
前記下部ラッカー層および上部ラッカー層を枚葉給紙式ラッカー塗布設備のラインによって前記基体に塗布することを特徴とする請求項２７〜３７いずれか１項記載の方法。